(57)【特許請求の範囲】
【請求項１】
取付面に対して固定される取付ブラケットによって笠木を保持するようにした手すりであって、
前記笠木が、筒状の芯材と該芯材の外表面を被覆する被覆材とから構成されて、手すりの取付現場で用いられる切断工具によって所望長さに切断可能とされており、
前記取付ブラケットにおける笠木取付部が、先端開口部を有する筒状の外筒部と、該外筒部の径方向内側に位置される内筒部と、を有して、該外筒部と該内筒部との間に環状の嵌合凹部が形成されて、該嵌合凹部の奥側に外筒部の内周面と内筒部の外周面とを連結する内底部が形成された構造とされ、
前記笠木取付部内には、前記嵌合凹部に嵌合されると共に前記内底部に当接される環状の弾性体からなるシール部材が配設され、
前記取付ブラケットに対する前記笠木の取付状態では、前記芯材が前記内筒部の外周に嵌合された状態で該笠木の端部が前記嵌合凹部内に嵌合され、かつ該笠木の端面によって前記シール部材が前記内底部に押圧され、
前記笠木取付部の内底部には、外筒部の内周面より段状に縮径された着座面と、前記内筒部の外周を取り巻く環状の逃げ溝とが形成され、
前記逃げ溝を前記内筒部の径方向に横断するように放射状に伸びる連結リブが、周方向に間隔をあけて複数形成され、
前記取付ブラケットに対する前記笠木の取付状態では、該笠木の端面によって前記シール部材が前記着座面と前記連結リブの端面とに対して押圧される、
ことを特徴とする手すり。
【請求項２】
取付面に対して固定される取付ブラケットによって笠木を保持するようにした手すりであって、
前記笠木が、筒状の芯材と該芯材の外表面を被覆する被覆材とから構成されて、手すりの取付現場で用いられる切断工具によって所望長さに切断可能とされており、
前記取付ブラケットにおける笠木取付部が、先端開口部を有する筒状の外筒部と、該外筒部の径方向内側に位置される内筒部と、を有して、該外筒部と該内筒部との間に環状の嵌合凹部が形成されて、該嵌合凹部の奥側に外筒部の内周面と内筒部の外周面とを連結する内底部が形成された構造とされ、
前記笠木取付部内には、前記嵌合凹部に嵌合されると共に前記内底部に当接される環状の弾性体からなるシール部材が配設され、
前記取付ブラケットに対する前記笠木の取付状態では、前記芯材が前記内筒部の外周に嵌合された状態で該笠木の端部が前記嵌合凹部内に嵌合され、かつ該笠木の端面によって前記シール部材が前記内底部に押圧され、
前記笠木取付部の内底部には、前記内筒部の外周を取り巻く環状の逃げ溝が形成され、
前記逃げ溝を前記内筒部の径方向に横断するように放射状に伸びる連結リブが、周方向に間隔をあけて複数形成され、
前記取付ブラケットに対する前記笠木の取付状態では、該笠木の端面によって前記シール部材が前記連結リブの端面に対して押圧され、
前記内筒部の外周面に、該内筒部の軸方向に伸びる複数のガイドリブが該内筒部の周方向に間隔をあけて突出形成され、
前記複数のガイドリブは、前記複数の連結リブの位置でかつ該連結リブに連なるように形成されている、
ことを特徴とする手すり。
【請求項３】
取付面に対して固定される取付ブラケットによって笠木を保持するようにした手すりであって、
前記笠木が、筒状の芯材と該芯材の外表面を被覆する被覆材とから構成されて、手すりの取付現場で用いられる切断工具によって所望長さに切断可能とされており、
前記取付ブラケットにおける笠木取付部が、先端開口部を有する筒状の外筒部と、該外筒部の径方向内側に位置される内筒部と、を有して、該外筒部と該内筒部との間に環状の嵌合凹部が形成されて、該嵌合凹部の奥側に外筒部の内周面と内筒部の外周面とを連結する内底部が形成された構造とされ、
前記笠木取付部内には、前記嵌合凹部に嵌合されると共に前記内底部に当接される環状の弾性体からなるシール部材が配設され、
前記取付ブラケットに対する前記笠木の取付状態では、前記芯材が前記内筒部の外周に嵌合された状態で該笠木の端部が前記嵌合凹部内に嵌合され、かつ該笠木の端面によって前記シール部材が前記内底部に押圧され、
前記笠木取付部の内底部には、前記外筒部の内周面より段状に縮径された着座面が形成される一方、前記内筒部の外周面のうち該着座面に対応した位置に段状に拡径された部位が存在しないようにされ、
前記笠木取付部の内底部には、前記嵌合凹部に連なるように奥方向に窪むと共に前記内筒部の外周を取り巻く環状の逃げ溝が形成され、
前記取付ブラケットに対する前記笠木の取付状態では、前記被覆材の端面が前記シール部材を介して前記着座面に対向し、前記芯材の端面が該シール部材を介して前記逃げ溝に対して対向すると共に前記着座面には対向しないようにされている、
ことを特徴とする手すり。
【請求項４】
取付面に対して固定される取付ブラケットによって笠木を保持するようにした手すりであって、
前記笠木が、筒状の芯材と該芯材の外表面を被覆する被覆材とから構成されて、手すりの取付現場で用いられる切断工具によって所望長さに切断可能とされており、
前記取付ブラケットにおける笠木取付部が、先端開口部を有する筒状の外筒部と、該外筒部の径方向内側に位置される内筒部と、を有して、該外筒部と該内筒部との間に環状の嵌合凹部が形成されて、該嵌合凹部の奥側に外筒部の内周面と内筒部の外周面とを連結する内底部が形成された構造とされ、
前記笠木取付部内には、前記嵌合凹部に嵌合されると共に前記内底部に当接される環状の弾性体からなるシール部材が配設され、
前記取付ブラケットに対する前記笠木の取付状態では、前記芯材が前記内筒部の外周に嵌合された状態で該笠木の端部が前記嵌合凹部内に嵌合され、かつ該笠木の端面によって前記シール部材が前記内底部に押圧され、
前記笠木取付部の内底部には、前記内筒部の外周を取り巻く環状の逃げ溝が形成され、
前記取付ブラケットに対する前記笠木の取付状態では、該芯材の端面が前記シール部材を介して前記逃げ溝に対向され、
前記内筒部の外周面に、該内筒部の軸方向に伸びる複数のガイドリブが該内筒部の周方向に間隔をあけて突出形成され、
前記内筒部の外径が、先端に向かうにつれて徐々に小さくされ、
前記複数のガイドリブは、前記内筒部の先端に向かうにつれて該内筒部の外周面からの突出高さが徐々に高くされている、
ことを特徴とする手すり。
【請求項５】
前記芯材がアルミニウム系金属または硬質合成樹脂によって形成され、
前記被覆材が合成樹脂により形成されている、
ことを特徴とする請求項１ないし請求項４のいずれか１項に記載の手すり。
【発明の詳細な説明】
【技術分野】
【０００１】
本発明は、住宅や公共建築等の建物に取付ける手すりに関するものである。
【背景技術】
【０００２】
住宅や公共建築等の建物に取付ける手すりにおいては、壁面等の取付対象物に固定される取付ブラケットによって笠木を支承させる構造となっている。笠木は、筒状の芯材を被覆材で被覆したものが多く用いられるが、芯材を鉄系金属材で形成し、被覆材を合成樹脂で形成したものが一般的となっている。
【０００３】
特許文献１には、取付ブラケットに、外筒部と外筒部の径方向内方側において内筒部とを形成して、中空状の笠木の端部を、外筒部内に嵌合させると共に、笠木の中空孔内に内筒部を嵌合させるものが開示されている。そして、特許文献１のものでは、笠木の端部の外周面を皮むき加工（段状に縮径する加工）を行ったのち、外筒部に嵌合させるようにしてある。特に、被覆材の外周面に滑り止めの凹凸加工が施されている場合に、この笠木の外周面と外筒部の内周面との間の隙間から水が取付ブラケット内に侵入し易く、腐食やカビの原因となることから、この凹凸部分を除去するように上記皮むき加工を行ない、笠木の端部の段状部位を外筒部の先端開口縁に密着させている。
【先行技術文献】
【特許文献】
【０００４】
【特許文献１】特開平９−２０３１８１号公報
【特許文献２】特開２００２−２４８０６７号公報
【発明の概要】
【発明が解決しようとする課題】
【０００５】
ところで、最近では、手すりの取付現場において笠木を所望長さに切断して、取付ブラケットに取付ける、という要請が強くなっている。しかしながら、芯材を鉄系金属材で形成した従来の笠木では、高速切断機や電動のこぎりにより切断する際に火花が激しく生じて、合成樹脂製の被覆材や取付現場の壁面・床面などを焼損させ、さらには火災を引起こすおそれもあった。また、芯材を鉄系金属材で形成した従来の笠木では、金鋸等の手工具で切断するのに多大の時間と労力を要して、事実上採用しがたいものであった。
【０００６】
また、上述の笠木の皮むき加工は、工場の工作機械によって行われている。そのため、取付現場において笠木を所望の長さに切断しても、その取付現場で皮むき加工を行うことができなかった。
【０００７】
また、特許文献２に開示されるように、外筒部の先端開口縁と笠木の端部の段状部位との間に目地パッキンを介在させることも可能だが（図３の符合１１参照）、目地パッキンが外部に露出して見栄えが悪く、さらに使用により目地パッキンにカビが発生して見栄えが悪化するという問題もある。
【０００８】
本発明は以上のような事情を勘案してなされたもので、その目的は、手すりの取付現場において笠木を所望長さに切断して、シール性を確保しつつ取付ブラケットに笠木を容易に取付けることができ、さらには見栄えを損なわないようにした手すりを提供することにある。
【課題を解決するための手段】
【０００９】
前記目的を達成するため、本発明にあっては次のような基本的な解決手法を採択してある。すなわち、
取付面に対して固定される取付ブラケットによって笠木を保持するようにした手すりであって、
前記笠木が、筒状の芯材と該芯材の外表面を被覆する被覆材とから構成されて、手すりの取付現場で用いられる切断工具によって所望長さに切断可能とされており、
前記取付ブラケットにおける笠木取付部が、先端開口部を有する筒状の外筒部と、該外筒部の径方向内側に位置される内筒部と、を有して、該外筒部と該内筒部との間に環状の嵌合凹部が形成されて、該嵌合凹部の奥側に外筒部の内周面と内筒部の外周面とを連結する内底部が形成された構造とされ、
前記笠木取付部内には、前記嵌合凹部に嵌合されると共に前記内底部に当接される環状の弾性体からなるシール部材が配設され、
前記取付ブラケットに対する前記笠木の取付状態では、前記芯材が前記内筒部の外周に嵌合された状態で該笠木の端部が前記嵌合凹部内に嵌合され、かつ該笠木の端面によって前記シール部材が前記内底部に押圧される、
ようにしてある。
【００１０】
上記基本的な解決手法によれば、手すりの取付現場において、高速切断機や電動のこぎり等の電動工具や金鋸等の手工具によって笠木を所望長さに切断することができる。また、笠木の端部を、皮むき加工を行うことなく、取付ブラケットに挿入・嵌合するという簡単な作業を行うだけで、シール性を自動的に確保しつつ取付ブラケットに対する取付状態とすることできる。また、シール部材は、取付ブラケット内に位置されて外部から目視できないので、手すりの見栄えを損なうこともない。
【００１１】
本件第１発明にあっては、上記基本的な解決手法に加えて、次のような解決手法をさらに採択してある。すなわち、
前記笠木取付部の内底部には、外筒部の内周面より段状に縮径された着座面と、前記内筒部の外周を取り巻く環状の逃げ溝とが形成され、
前記逃げ溝を前記内筒部の径方向に横断するように放射状に伸びる連結リブが、周方向に間隔をあけて複数形成され、
前記取付ブラケットに対する前記笠木の取付状態では、該笠木の端面によって前記シール部材が前記着座面と前記連結リブの端面とに対して押圧される、
ようにしてある。本件第１発明によれば、前記基本的な解決手法による作用効果に加えて、さらに次のような独特の作用効果をも奏するものである。すなわち、笠木の端面で押圧されるシール部材を着座面と複数の連結リブとで受け止めて、シール部材によるシール性を十分に確保することができる。また、取付現場で切断した笠木の端部に芯材のバリが生じても、笠木の端面によってシール部材が内底部に押圧される際、芯材のバリに押圧されたシール部材が逃げ溝内に撓むため、芯材のバリによるバラツキを吸収することができる。
【００１２】
本件第２発明にあっては、前記基本的な解決手法に加えて、次のような解決手法をさらに採択してある。すなわち、
前記笠木取付部の内底部には、前記内筒部の外周を取り巻く環状の逃げ溝が形成され、
前記逃げ溝を前記内筒部の径方向に横断するように放射状に伸びる連結リブが、周方向に間隔をあけて複数形成され、
前記取付ブラケットに対する前記笠木の取付状態では、該笠木の端面によって前記シール部材が前記連結リブの端面に対して押圧され、
前記内筒部の外周面に、該内筒部の軸方向に伸びる複数のガイドリブが該内筒部の周方向に間隔をあけて突出形成され、
前記複数のガイドリブは、前記複数の連結リブの位置でかつ該連結リブに連なるように形成されている、
ようにしてある。本件第２発明によれば、前記基本的な解決手法による作用効果に加えて、さらに次のような独特の作用効果をも奏するものである。すなわち、ガイドリブによって、笠木の芯材を内筒部に嵌合させることがより容易となる。また、取付現場で切断した笠木の端部に芯材のバリが生じても、笠木の端面によってシール部材が内底部に押圧される際、芯材のバリに押圧されたシール部材が逃げ溝内に撓むため、芯材のバリによるバラツキを吸収することができる。
【００１３】
本件第３発明にあっては、前記基本的な解決手法に加えて、次のような解決手法をさらに採択してある。すなわち、
前記笠木取付部の内底部には、前記外筒部の内周面より段状に縮径された着座面が形成される一方、前記内筒部の外周面のうち該着座面に対応した位置に段状に拡径された部位が存在しないようにされ、
前記笠木取付部の内底部には、前記嵌合凹部に連なるように奥方向に窪むと共に前記内筒部の外周を取り巻く環状の逃げ溝が形成され、
前記取付ブラケットに対する前記笠木の取付状態では、前記被覆材の端面が前記シール部材を介して前記着座面に対向し、前記芯材の端面が該シール部材を介して前記逃げ溝に対して対向すると共に前記着座面には対向しないようにされている、
ようにしてある。本件第３発明によれば、前記基本的な解決手法による作用効果に加えて、さらに次のような独特の作用効果をも奏するものである。すなわち、取付現場で切断した笠木の端部に芯材のバリが生じても、笠木の端面によってシール部材が内底部に押圧される際、芯材のバリに押圧されたシール部材が逃げ溝内に撓むため、芯材のバリによるバラツキを吸収することができる。また、着座面と被覆材との間をシール部材によって確実にシールすることができる。
【００１４】
本件第４発明にあっては、前記基本的な解決手法に加えて、次のような解決手法をさらに採択してある。すなわち、
前記笠木取付部の内底部には、前記内筒部の外周を取り巻く環状の逃げ溝が形成され、
前記取付ブラケットに対する前記笠木の取付状態では、該芯材の端面が前記シール部材を介して前記逃げ溝に対向され、
前記内筒部の外周面に、該内筒部の軸方向に伸びる複数のガイドリブが該内筒部の周方向に間隔をあけて突出形成され、
前記内筒部の外径が、先端に向かうにつれて徐々に小さくされ、
前記複数のガイドリブは、前記内筒部の先端に向かうにつれて該内筒部の外周面からの突出高さが徐々に高くされている、
ようにしてある。本件第４発明によれば、前記基本的な解決手法による作用効果に加えて、さらに次のような独特の作用効果をも奏するものである。すなわち、取付現場で切断した笠木の端部に芯材のバリが生じても、笠木の端面によってシール部材が内底部に押圧される際、芯材のバリに押圧されたシール部材が逃げ溝内に撓むため、芯材のバリによるバラツキを吸収することができる。
【００１５】
また、内筒部の芯材に対する接触面積を低減して、芯材が内筒部に対して若干芯ずれした状態で斜めから嵌合されようとした際に、ガイドリブが比較的容易に弾性変形して、芯材を内筒部に対してスムーズに嵌合されるようにガイドすることになる。
本件第１発明〜本件第４発明の好ましい態様は次のとおりである。
前記芯材がアルミニウム系金属または硬質合成樹脂によって形成され、
前記被覆材が合成樹脂により形成されている、
ようにすることができる。この場合、高速切断機や電動のこぎり等の電動工具や金鋸等の手工具によって笠木を極めて簡単かつ短時間で切断することができる。また、被覆材によって、芯材の保護と好ましい手触り感を確保することができる。また、電動工具で笠木を切断する際に火花が飛び散らないため、笠木の被覆材や取付現場の壁面・床面などが焼損することを防止できる。
【発明の効果】
【００１６】
本発明によれば、手すりの取付現場において笠木を所望長さに切断して、シール性を自動的に確保しつつ取付ブラケットに対して笠木を容易に取付けることができる。また、本発明によれば、シール部材が外部に露出しないので、手すりの見栄えを損なうこともない。
【図面の簡単な説明】
【００１７】
【図１】本発明が適用された手すりの一例を示す一部断面平面図。
【図２】本発明に係る手すりの取付ブラケットを示す正面図。
【図３】取付ブラケットのうち笠木の取付部位を、図２の矢印Ｂ方向から見た拡大図。
【図４】取付ブラケットと笠木との取付部位となる図１のＡ部分の詳細を示すもので、図３のＸ４−Ｘ４線相当での断面図。
【図５】図４に対応するもので、図３のＸ５−Ｘ５線相当での断面図。
【発明を実施するための形態】
【００１８】
図１において、手すりＴは、左右一対の取付ブラケット１０と、左右一対の取付ブラケット１０に支承された笠木２０とを有する。笠木２０は、図１、図４、図５に示すように、筒状（実施形態では円筒状）の芯材２１と、芯材２１の外表面を被覆する被覆材２２と、を有する。笠木２０は、手すりの取付現場において高速切断機や電動のこぎり等の電動工具や金鋸等の手工具によって容易に切断できるように、その芯材２１が、アルミニウム系金属によって形成されている。また、被覆材２２は、従来同様に合成樹脂により略円筒状に成形されている。そして、被覆材２２の周方向一部には、滑り止めとして、笠木２０の長手方向に小間隔をあけて多数の凹部（あるいは凸部）２２ａが形成されている（実施形態では、笠木２０の周方向に伸びる楕円形とされている）。なお、芯材２１は、硬質合成樹脂によって形成されてもよい。
【００１９】
実施形態では、芯材２１内に筒状の補強パイプ２３が挿入されて、笠木２０の曲げ剛性（強度）が向上された構造となっている。補強パイプ２３は、芯材２１と同様にアルミニウム系金属により形成してある。補強パイプ２３は、芯材２１よりも短くされて、取付ブラケット１０に対する取付けとは無関係とされている。このような補強パイプ２３は、笠木２０が所定長さ（例えば８０ｃｍ）以上の場合にのみ用いるようになっており、このため、芯材２１内にスムーズに挿入できるように芯材２１の内径よりも若干小さい外径に設定されている。
【００２０】
取付ブラケット１０は、大別して、ベース部１０Ａと、笠木取付部１０Ｂと、ベース部１０Ａと笠木取付部１０Ｂとを連結する連結部１０Ｃと、を有する。連結部１０Ｃは、エルボ状に湾曲されている。そして、取付ブラケット１０は、全体的に合成樹脂によって型成形（例えば射出成形）されている。
【００２１】
上記ベース部１０Ａは、図示を略す取付ネジによって、建物の壁面等の取付面１に対して固定される。この固定のために、図２に示すように、ベース部１０Ａには、複数の取付孔１１が形成されている。複数の取付孔１１は、円形状のものと、長円形状のものとが混在されたものとされている。長円形状の取付孔１１を利用した取付けは、上記取付ねじとベース部１０Ａとの位置関係を大きく調整して取付ける際に用いて好適である。また、取付ブラケット１０のベース部１Ａは、合成樹脂製のカバー部材１２でもって被覆される。
【００２２】
取付ブラケット１０における笠木取付部１０Ｂは、次のような構造となっている。笠木取付部１０Ｂは、先端開口部３８を有する外筒部３１と、外筒部３１の径方向内方側に位置する内筒部３２とを有する。外筒部３１と内筒部３２とは、開口断面形状がそれぞれ円形とされて、互いに同心状となるように形成されている。そして、内筒部３２は、外筒部３１の先端開口部３８からさらに長く伸びて、内筒部３２の先端部が外筒部３１の外部に突出するようにされている。
【００２３】
上記外筒部３１の内周面と内筒部３２の外周面との間には、環状の嵌合凹部３３が形成される。また、嵌合凹部３３の奥側には、外筒部３１の内周面と内筒部の外周面３２とを連結する内底部３９が形成される。この嵌合凹部３３の幅、換言すると、外筒部３１の内周面と内筒部３２の外周面との間の径方向距離は、笠木２０の厚さ（つまり芯材２１と被覆材２２との合計厚さ）よりも大きく設定されている。
【００２４】
内筒部３２の外径は、芯材２１の内径よりも若干小さく設定されて、内筒部３２の外周に芯材２１が嵌合できるようにされている。また、笠木２０の外径は、外筒部３１の内径と同一又は僅かに小さく設定されて、笠木２０端部の被覆材２２を皮むき加工する等のことなく、外筒部３１内に笠木２０の端部を嵌合できるようにされている。
【００２５】
ここで、笠木２０の端部を笠木取付部１０Ｂに容易に挿入、嵌合できるように、次のような寸法設定にするのが好ましい。まず、前述したように、基本的に、芯材２１の内径ａが内筒部３２の外径ｂよりも大きくされる。また、被覆材２２を含む笠木２０の外径ｃが、外筒部３１の内径ｄ以下とされる。
【００２６】
そして、上記各寸法ａ〜ｄが、（ａ−ｂ）＞（ｄ−ｃ）の関係を満足する設定とするのが好ましい。これにより、内筒部３２が外筒部３１の先端開口部３８よりも外方に伸びていることと合わせて、笠木２０の芯材２１の端部を笠木取付部１０Ｂの内筒部３２に挿入、嵌合させる取付作業が容易となり、さらに笠木２０の被覆材２２と外筒部３１の内周面との隙間を小さくすることができる。すなわち、先ず芯材２１の先端開口に内筒部３２を挿入させていき、この内筒部３２をガイドとしつつ笠木２０を外筒部３１内に挿入させることができ、この場合、嵌合凹部３３に笠木２０の端部が挿入、嵌合されることになる。
【００２７】
取付ブラケット１０に対して笠木２０を固定するため、笠木２０の端部には、取付孔２４が形成されている（図４参照）。また、取付ブラケット１０には、外筒部３１の位置において、挿入孔４２が形成されており、内筒部３２における挿入孔４２に対応する位置に、ねじ孔４１が形成されている。挿入孔４２の直径は、固定ねじ４３のねじ頭よりも大きくされている。笠木２０の端部を笠木取付部１０Ｂに取付けた（嵌合させた）状態で、図４に示すように、取付孔２４から挿入される固定ねじ４３を、取付孔２４及びねじ孔４１にねじ込むことによって、取付ブラケット１０と笠木２０とが固定されて、笠木２０の抜け止め及び回り止めが行われる。
【００２８】
ここで、図３、図４に示すように、笠木取付部１０Ｂの内底部３９は、外筒部３１の内周面より段状に縮径された着座面３５を有している。また、笠木取付部１０Ｂの内底部３９には、嵌合凹部３３に連なるように奥方向に窪んだ逃げ溝３４が形成されている。この逃げ溝３４は、外筒部３１や内筒部３２と同心の円環状に、内筒部の外周を取り巻くように形成されている。逃げ溝３４の最大径は、外筒部３１の内径よりも小さく設定されている。
【００２９】
逃げ溝３４を横断する複数の連結リブ３６が、内筒部３２の周方向等間隔に複数（実施形態では図３に示すように８個）形成されている。連結リブ３６は着座面３５とほぼ面一に形成されている。図５では、連結リブ３６がハッチング部分（中実構造）でもって示されており、図５中一点鎖線でもって逃げ溝３４を示してある。
【００３０】
図４、図５に示すように、円環状の弾性体からなるシール部材５０が、内筒部３２を挿通されて内底部３９に当接するように嵌合凹部３３内に配置されている。シール部材５０は、弾性を有する合成樹脂やエラストマーなどで形成されている。また、シール部材５０は、笠木２０の端面と笠木取付部１０Ｂの内底部３９との間で押し潰されて、笠木２０の端面と内底部３９との隙間を密閉している。なお、笠木２０及び笠木取付部１０Ｂは、被覆材２２の端面がシール部材５０を介して着座面３５に対向し、芯材２１の端面がシール部材５０を介して連結リブ３６の端面に対向するように形成されている。
【００３１】
ここで、内筒部３２の外周面には、内筒部３２の軸方向略全長に渡って伸びるガイドリブ３７が、内筒部３２の周方向等間隔に複数（実施形態では図３に示すように８個）形成されている。このガイドリブ３７は、前記連結リブ３６と同一位置となるようにされて、連結リブ３６に連なっている。これにより、内筒部３２を挿通されたシール部材５０が、ガイドリブ３７に案内されて逃げ溝３４の奥に入り込むことを防止できる。このガイドリブ３７の内筒部３２外周面からの突出高さは、連結リブ３６の長さ（内筒部３２の径方向における長さ）よりも小さくされている。なお、図５において、ガイドリブ３７を一点鎖線でもって示してある。
【００３２】
ここで、内筒部３２の外周には、先端に向かうにつれて先細となるように、僅かな勾配が形成されている。すなわち、内筒部３２は、その外径が、先端（図４、図５左方側）に向かうにつれて徐々に小さくなるようにされている。これにより、後述する取付ブラケット１０に対する笠木２０の取付けにおいて、取付孔２４の穿孔位置を罫書くために一旦笠木取付部１０Ｂの嵌合凹部３４に挿嵌された笠木２０を、笠木取付部１０Ｂの嵌合凹部３４から引き抜き易くなる。
【００３３】
一方、ガイドリブ３７は、内筒部３２の外周面の勾配を補償するように、内筒部３２の先端に向かうにつれて、内筒部３２の外周面からの突出高さが徐々に高くなるように形成されている。すなわち、ガイドリブ３７は、その全長に渡って、内筒部３２の軸心からの径方向距離が等しくなるようにされている。すなわち、複数のガイドリブ３７の高さ位置を周方向に滑らかに結んだ円形の仮想外周線α（図３参照）の直径が、ガイドリブ３７の全長に渡って等しくなるようにされている。そして、この仮想外周線αの外径が、芯材２１の内径と同一又は僅かに小さく設定されている。
【００３４】
上記のように内筒部３２の外周面及びガイドリブ３７を形成することにより、内筒部３２の芯材２１に対する接触面積を低減して、芯材２１が内筒部３２に対してより容易に嵌合されることとなる。すなわち、芯材２１が内筒部３２に対して若干芯ずれしたり斜めから嵌合されようとした際に、ガイドリブ３７が比較的容易に弾性変形して、芯材２１を内筒部３２に対してスムーズに嵌合されるようにガイドする。
【００３５】
以上のような構成において、取付ブラケット１０に対する笠木２０を取付ける手順について説明する。
【００３６】
まず、笠木１０が所望長さよりも長尺である場合に、手摺りの取付現場において切断工具によって所望長さに切断される。芯材２１がアルミニウム系金属で形成されており、鉄系金属に比してはるかに柔らかいために、高速切断機や電動のこぎり等の電動工具や金鋸等の手工具でも容易かつすみやかに笠木２０を切断することができ、また、電動工具で笠木２０を切断する際に火花が飛び散らないため、笠木２０の被覆材２２や取付現場の壁面・床面などが焼損することを防止できる。
【００３７】
笠木２０の所望長さが所定以上であるときは、補強パイプ２３が芯材２１内に挿入される。この補強パイプ２３も、必要に応じて、笠木２０よりも所定分短かい長さに、手すりＴの取付現場で用いられる切断工具で切断される。また、取付ブラケット１０には、予め工場でシール部材５０が笠木取付部１０Ｂの嵌合凹部３４内に挿入されて、接着材によって着座面３５（内底部３９）に接着されており、取付現場でのシール部材５０の取付忘れや取付作業の簡略化を図っている。
【００３８】
次に、笠木２０の端部を笠木取付部１０Ｂの嵌合凹部３４に挿入、嵌合させる。まず、
芯材２１の先端開口に内筒部３２を挿入させていき、この内筒部３２をガイドとしつつ笠木２０を外筒部３１内に挿入させていく。そして、笠木２０が嵌合凹部３４内に進入して笠木２０の取付孔２４が内筒部３２のねじ孔４１と重なり始める位置付近に達する辺りから、笠木２０の端面がシール部材５０を内底部３９の着座面３５や連結リブ３６の端面へ押圧し始める。さらに、笠木２０の取付孔２４が内筒部３２のねじ孔４１に整合する位置まで笠木２０が嵌合凹部３４内に進入すると、シール部材５０の外周側の部位が、笠木２０の被覆材２２の端面と内底部３９の着座面３５とにより押し潰され、シール部材５０の内周側の部位が、笠木２０の芯材２１の端面と連結リブ３６の端面とにより押し潰されて、これらの隙間が密閉される。すなわち、水が笠木２０の外周面と外筒部３１の内周面との隙間から嵌合凹部３４内に浸入しても、シール部材５０により水のこれ以上の浸入が阻止されるため、特に芯材２１の腐食が防止されることになる。また、取付現場で切断した笠木２０の端部に芯材２１のバリが生じても、笠木２０の端面によってシール部材５０が内底部３９に押圧される際、芯材２１のバリに押圧されたシール部材５０が逃げ溝３４内に撓むため、芯材２１のバリによるバラツキを吸収することができる。
【００３９】
このように笠木２０の端部を笠木取付部１０Ｂの嵌合凹部３４に挿嵌させた状態で、取付孔２４を穿孔する位置に罫書きを施し、笠木取付部１０Ｂから笠木２０を引き抜いて、笠木２０の罫書いた位置に取付孔２４を穿孔する。そして、再び笠木２０の端部を笠木取付部１０Ｂの嵌合凹部３４に挿嵌させた後、外筒部３１の挿入孔４２に挿入した固定ねじ４３を笠木２０の取付孔２４及び内筒部３２のねじ孔４１にねじ込むことにより、笠木取付部１０Ｂからの笠木２０の抜けが防止されると共に、笠木取付部１０Ｂに対する笠木２０の回り止めが行われて、シール部材５０により笠木２０の端面と内底部３９との隙間が密閉される。そして、外筒部３１の挿入孔４２に対して、目隠し用のカバー部材４４が嵌合形式で固定される。なお、カバー部材４４に代えて、目隠し用の充填材を外筒部３１の挿入孔４２に充填するようにしてもよい。
【００４０】
なお、手すりＴは、笠木２０を取付ブラケット１０に取付けた後に、該取付ブラケット１０を取付面１に固定してもよく、あるいは、取付ブラケット１０を取付面１に固定した後に、該取付ブラケット１０に笠木２０を取付けてもよい。また、工場にて予めシール部材５０を取付ブラケット１０の内底部３９に設けておいたが、取付現場にてシール部材５０を取付ブラケット１０の内底部３９に設けることも可能である。また、取付現場にて笠木２０の端面にシール部材５０を接着し、該笠木２０の端部を笠木取付部１０Ｂの嵌合凹部３４に挿嵌させることも可能である。
【００４１】
なお、本発明は、上述の実施形態に限定されるものではなく、本発明の目的を達成できる範囲における変形及び改良を含むものである。上述の実施形態では、１つの笠木取付部１０Ｂを有するエルボ状の取付ブラケット１０を用いているが、例えば、２つの笠木取付部を有するＬ型の取付ブラケットや、３つの笠木取付部を有するＴ型の取付ブラケットなど、１または複数の笠木取付部を有する取付ブラケットとすることができる。また、上述の実施形態では、取付ブラケット１０に連結リブ３６及びガイドリブ３７をそれぞれ８個設けたが、７個以下または９個以上など複数個設けてあればよいが、少なくとも３個設けることが好ましい。また、上述の実施形態では、笠木２０を単層の被覆材２２で被覆したが、重層の被覆材で被覆してもよい。上述の実施形態では、シール部材５０が円環状に形成されているが、本発明はこれに限られず、笠木取付部の嵌合凹部に嵌合可能な環状に形成されて、笠木２０の端面と笠木取付部１０Ｂの内底部３９との間で押し潰されて隙間を密閉できる形状であればよい。また、本発明に係る手すりは、取付面として、例えば、浴室、トイレ、玄関、廊下等、建物の様々な壁面や、建物に設けられた扉等の設置物に取り付けることができる。なお、本発明に係る手すりでは、笠木取付部１０Ｂの内底部３９に逃げ溝３４及び連結リブ３６を設けず、外筒部３１の内周面より段状に縮径された着座面３５を内筒部３２の外周面まで延設することも可能だが、上述の実施形態のように笠木取付部１０Ｂの内底部３９に逃げ溝３４及び連結リブ３６を設けることが好ましい。
【符号の説明】
【００４２】
Ｔ：手すり
１：取付面
１０：取付ブラケット
１０Ａ：ベース部
１０Ｂ：笠木取付部
１０Ｃ：連結部
２０：笠木
２１：芯材
２２：被覆材
２４：取付孔
３１：外筒部
３２：内筒部
３３：嵌合凹部
３４：逃げ溝
３５：着座面
３６：連結リブ
３７：ガイドリブ
３８：先端開口部
３９：内底部
４１：ねじ孔
４２：挿入孔
４３：固定ねじ
５０：シール部材
α：仮想外周線
【図１】
0006673658.tif 000002
【図２】
0006673658.tif 000003
【図３】
0006673658.tif 000004
【図４】
0006673658.tif 000005
【図５】
0006673658.tif 000006